(57)【要約】【課題】目的地やルートや送信ポイントなどの設定操作無しで、自車の位置などの情報を適切なタイミングで相手に伝える。【解決手段】外部操作部Ｇにおいて入力受付部Ｐ上に板材などの操作テンプレートＴを備える。操作テンプレートＴは、合成樹脂など平面状の素材から、異なる操作内容などに応じた各操作領域の位置をそれぞれ矩形、三角、丸など所定の形状にくりぬいたもので、操作テンプレートによって区切られた入力受付部上の各領域は、本装置を操作するためのコマンドと関係付けられている。本装置に対する操作は、本体とは分離した上記のような形態の外部操作部Ｇにおいて、取り付けた操作テンプレートを利用して各操作領域に対する上記のような行為を組み合わせることで行うことができる。【選択図】図１
2007257564.tif 000002
【特許請求の範囲】
【請求項１】
演算部と、外部からの命令を受信する受信部と、を有する本体部と、
前記本体部と別体に構成され、命令を受け付ける入力受付部と、前記入力受付部から入力された命令を本体部へ送信する送信部と、を有する外部操作部と、
から構成され、前記外部操作部からの命令に従って本体部が演算を行う電子機器装置において、
前記入力受付部はマトリクススイッチであって、前記入力受付部に操作領域とそれ以外の部分を区別する板材を設置したことを特徴とする電子機器装置。
【請求項２】
前記入力受付部は、命令毎に領域が区別されるとともに受け付ける命令を表示し、
前記板材は、命令を受け付けない領域を被覆するように形成されたことを特徴とする請求項１記載の電子機器装置。
【請求項３】
前記入力受付部はタッチパネルであることを特徴とする請求項１乃至請求項２いずれかに記載の電子機器装置。
【請求項４】
演算部を有する本体部と、
前記本体部と別体に構成され、本体部から送信される画面を表示するとともに入力受付部への接触を本体部へ送信する外部操作部と、
を有する電子機器装置において、
前記入力受付部上に、操作領域とそれ以外の部分を区分する操作テンプレートを設け、
前記本体部は、前記外部操作部から送信される入力受付部への接触の内容に応じて、処理を実行する処理実行手段を有する
ことを特徴とする電子機器装置。
【請求項５】
前記板材又は操作テンプレートは、平面状の素材から各操作領域をくりぬいたものであることを特徴とする請求項１から４のいずれか一項に記載の電子機器装置。
【請求項６】
前記板材又は操作テンプレートは、平面状の素材において各操作領域を肉薄部とし他を肉厚部としたものであることを特徴とする請求項１から５のいずれか一項に記載の電子機器装置。
【請求項７】
前記各操作領域の肉薄部に、各操作領域に対応した表示を施したことを特徴とする請求項６記載の電子機器装置。
【請求項８】
前記板材又は操作テンプレートは、カーソル移動用の長尺領域を有し、
前記操作実行手段は、前記長尺領域内で接触しながらの移動を受信するとその移動の方向及び量に応じカーソルを移動させることを特徴とする請求項１から７のいずれか一項に記載の電子機器装置。
【請求項９】
前記板材又は操作テンプレートは、前記入力受付部から着脱自在に構成されたことを特徴とする請求項１から８のいずれか一項に記載の電子機器装置。
【請求項１０】
前記板材又は操作テンプレートは、前記外部操作部に連結され又は前記外部操作部の背面もしくは内部に収納可能に構成されたことを特徴とする請求項９記載の電子機器装置。
【請求項１１】
前記板材又は操作テンプレートは、前記入力受付部に装着しているか否か又は複数のうちどの板材又は操作テンプレートを装着しているかを識別するための識別部を備え、
前記外部操作部は、前記入力受付部に装着されている前記板材又は操作テンプレートの前記識別部を検出しその検出内容を前記本体部へ送信する検出送信手段を備え、
前記本体部の前記処理実行手段は、前記外部操作部から受信する前記検出内容に応じて前記外部操作部の表示内容を切り換えることを特徴とする請求項９又は１０のいずれか一項に記載の電子機器装置。
【請求項１２】
前記識別部として、板材又は操作テンプレートの一部分の立体形状を用いることを特徴とする請求項１１記載の電子機器装置。
【請求項１３】
前記識別部として、板材又は操作テンプレートに一又は二以上取り付けた磁石を用いることを特徴とする請求項１１又は１２記載の電子機器装置。
【請求項１４】
前記識別部は、板材又は操作テンプレートに設けたＩＣタグであることを特徴とする請求項１１から１３のいずれか一項に記載の電子機器装置。
【請求項１５】
周囲の明るさを検出する検出手段と、
前記検出手段が検出した明るさに応じて、前記外部操作部の表示明度を調整する表示明度調整手段と、
を備えたことを特徴とする請求項１から１４のいずれか一項に記載の電子機器装置。
【請求項１６】
請求項１から１５のいずれか一項に記載の電子機器装置を有し、
地図データを記憶する記憶手段と、
自車位置及び方位の検出手段と、
車両の情報を得るインタフェース部と、
前記検出手段及びインタフェース部からの情報と、前記記憶手段に記憶されている地図データに基いて、自車位置及び周辺地図の表示と、指定される目的地への経路の計算及び案内と、を行うナビゲーション手段と、
を有することを特徴とするナビゲーション装置。
【発明の詳細な説明】
【技術分野】
【０００１】
本発明は、移動体におけるナビゲーション技術の改良に関する。
【背景技術】
【０００２】
近年、情報処理や通信における技術の進展に伴い、自動車など移動体におけるナビゲーション装置が普及している。ナビゲーション装置は、ＧＰＳなどで検出する現在位置を周辺地図上に表示しながら、指定される目的地への経路を計算し案内するものである。
【０００３】
従来のカーナビゲーション装置では、装置本体と一体になったボタンやタッチパネル、またはリモコンで操作を行っており、車種専用に設計された純正タイプのカーナビゲーション装置では、装置本体とは別に、専用の操作ボタンパネルが装備されるなど、種類に応じた操作態様が工夫されている。
【０００４】
また、車種によって装置本体の取付位置が操作者から遠く操作性が落ちる場合に、タッチパネル式のリモコン（例えば、特許文献１参照）の使用により、タッチパネル画面上で機能の表示を切り換えることで操作の便宜を図ることも考えられる。
【特許文献１】特開２００５−１６５７３３号公報
【発明の開示】
【発明が解決しようとする課題】
【０００５】
しかし、近年ではそもそも、ナビゲーション装置の多機能化に伴って操作ボタンの種類が増加したり、操作ボタンパネルやリモコンの形状や構造が複雑化するなど、操作性の維持が困難になりつつある。この状況の中で、タッチパネル式のリモコンユニットの表示を切り換えても、いつどのように切り替わるのかが複雑化し、操作性の改善には限度があった。
【０００６】
また、平らなタッチパネル画面で液晶表示を切り換えても、その状態を目で確認しながら操作せねばならず煩雑なうえ、特に周囲が暗い夜などに操作するには、バックライト機能が必須になり、それが充電池の負担になるなど弱点があり、これらの改善が待望されていた。
【０００７】
本発明は、上記のような課題を解決するもので、その目的は、本体と別体の外部操作部に板材などの操作テンプレートを取り付けることにより、所望の操作を簡単・確実に行わせることである。
【課題を解決するための手段】
【０００８】
上記の目的をふまえ、本発明の一態様は、演算部と、外部からの命令を受信する受信部と、を有する本体部と、前記本体部と別体に構成され、命令を受け付ける入力受付部と、前記入力受付部から入力された命令を本体部へ送信する送信部と、を有する外部操作部と、から構成され、前記外部操作部からの命令に従って本体部が演算を行う電子機器装置において、前記入力受付部はマトリクススイッチであって、前記入力受付部に操作領域とそれ以外の部分を区別する板材を設置したことを特徴とする。
【０００９】
本発明の他の態様では、さらに、前記入力受付部は、命令毎に領域が区別されるとともに受け付ける命令を表示し、前記板材は、命令を受け付けない領域を被覆するように形成されたことを特徴とする。
【００１０】
本発明の他の態様では、さらに、前記入力受付部はタッチパネルであることを特徴とする。
【００１１】
また、本発明の他の一態様は、演算部を有する本体部と、前記本体部と別体に構成され、本体部から送信される画面を表示するとともに入力受付部への接触を本体部へ送信する外部操作部と、を有する電子機器装置において、前記入力受付部上に、操作領域とそれ以外の部分を区分する操作テンプレートを設け、前記本体部は、前記外部操作部から送信される入力受付部への接触の内容に応じて、処理を実行する処理実行手段を有することを特徴とする。
【００１２】
これらのように、ナビゲーション装置の操作部について、本体と分離することで本体の取付位置と関係なく所望の位置に固定や移動ができて操作し易くなり、タッチパネルなど指で平面を触る操作の採用により、ボタンパネルやリモコンより形状構造が単純化できる。特に、板材又は操作テンプレートで操作すべき部分を示すことにより、視覚に頼らず指先の感覚だけで操作可能となり操作性が向上する。
【００１３】
本発明の他の態様では、さらに、前記板材又は操作テンプレートは、平面状の素材から各操作領域をくりぬいたものであることを特徴とする。このように、異なる操作内容などに応じた操作領域ごとの位置と形状でくりぬいた板材又は操作テンプレートにより、指先だけの感覚で入力受付部上の決められた領域に確実に触れることが可能となる。
【００１４】
本発明の他の態様では、さらに、前記板材又は操作テンプレートは、平面状の素材において各操作領域を肉薄部とし他を肉厚部としたものであることを特徴とする。このように、各操作領域を他より凹ませて肉薄とすることにより、くりぬいた場合と比べて強度が増し、手指の脂等の汚れが入力受付部へ付着することを抑えることができる。
【００１５】
本発明の他の態様では、さらに、前記各操作領域の肉薄部に、各操作領域に対応した表示を施したことを特徴とする。このように、操作領域となっている肉薄部に対応した文字、図形、記号や色などの表示を行うことにより、バックライトが有っても無くても部分ごとの機能が一見して把握しやすくなる。
【００１６】
本発明の他の態様では、さらに、前記板材又は操作テンプレートは、カーソル移動用の長尺領域を有し、前記操作実行手段は、前記長尺領域内で接触しながらの移動を受信するとその移動の方向及び量に応じカーソルを移動させることを特徴とする。このように、カーソル移動用に長細い専用の領域を用いれば、他の機能命令用の領域とは指先で容易に判別でき、操作性が改善できる。
【００１７】
本発明の他の態様では、さらに、前記板材又は操作テンプレートは、前記入力受付部から着脱自在に構成されたことを特徴とする。このように、板材又は操作テンプレートを入力受付部から着脱自在とし、必要なときだけ取り付けることにより操作の場面や作業内容などの事情に応じ様々な利用態様が可能となる。
【００１８】
本発明の他の態様では、さらに、前記板材又は操作テンプレートは、前記外部操作部に連結され又は前記外部操作部の背面もしくは内部に収納可能に構成されたことを特徴とする。このように、板材又は操作テンプレートを外部操作部と一体化しておき、必要なときに入力受付部に装着できることにより、操作性に優れ、板材又は操作テンプレートの紛失も防止できる。
【００１９】
本発明の他の態様では、さらに、前記板材又は操作テンプレートは、前記入力受付部に装着しているか否か又は複数のうちどの板材又は操作テンプレートを装着しているかを識別するための識別部を備え、前記外部操作部は、前記入力受付部に装着されている前記板材又は操作テンプレートの前記識別部を検出しその検出内容を前記本体部へ送信する検出送信手段を備え、前記本体部の前記処理実行手段は、前記外部操作部から受信する前記検出内容に応じて前記外部操作部の表示内容を切り換えることを特徴とする。このように、どの板材又は操作テンプレートが装着されているかを検出しそれに応じて表示内容を切り換えることにより、用途や場面に応じていろいろな操作に活用可能となる。
【００２０】
本発明の他の態様では、さらに、前記識別部として、板材又は操作テンプレートの一部分の立体形状を用いることを特徴とする。このように、板材又は操作テンプレートについて、識別に立体形状を用いることにより、磁石やＩＣタグなどを用いる場合と比べ経年変化や周囲の電磁波などがあっても動作が確実となる。
【００２１】
本発明の他の態様では、さらに、前記識別部として、板材又は操作テンプレートに一又は二以上取り付けた磁石を用いることを特徴とする。このように、板材又は操作テンプレートについて、識別に磁石を用いることにより、立体形状を用いる場合と比べ表面が平らにできるなど形状が統一でき取扱いが容易になる。
【００２２】
本発明の他の態様では、さらに、前記識別部は、板材又は操作テンプレートに設けたＩＣタグであることを特徴とする。このように、識別にＩＣタグを用いることにより、立体形状を用いる場合と比べ表面が平らにできて形状が統一でき取扱いが容易になるうえ、可動部も無くて済むため故障が減り、磁石を用いる場合と比べても経年劣化が無く動作の信頼性が維持でき、キャッシュカードなど磁気媒体にも影響が無い。
【００２３】
本発明の他の態様では、さらに、周囲の明るさを検出する検出手段と、前記検出手段が検出した明るさに応じて、前記外部操作部の表示明度を調整する表示明度調整手段と、を備えたことを特徴とする。このように、周囲の明るさに応じて、外部操作部の明るさを調整することにより、暗くても明度調節操作無しで視認容易となり、無駄な電力消費も抑えて充電池の持ちをよくする効果も得られる。
【００２４】
本発明の他の態様では、さらに、以上のようないずれかの電子機器装置を有するナビゲーション装置において、地図データを記憶する記憶手段と、自車位置及び方位の検出手段と、車両の情報を得るインタフェース部と、前記検出手段及びインタフェース部からの情報と、前記記憶手段に記憶されている地図データに基いて、自車位置及び周辺地図の表示と、指定される目的地への経路の計算及び案内と、を行うナビゲーション手段と、を有することを特徴とする。このように、本発明をナビゲーション装置に適用することにより、車内の明暗やバックライトの有無に関わらず、指先の感覚だけでナビゲーションに関する操作が可能になるので、快適なドライブ体験が得られ、運転の安全性も向上する。
【発明を実施するための最良の形態】
【００２５】
次に、本発明を実施するための最良の実施形態について、図に沿って説明するが、背景技術や課題での記述と共通の前提事項は省略する。
【００２６】
〔１．全体構成〕
本実施形態は、外部操作部からの命令に従って本体部が演算を行う電子機器装置を有するナビゲーション装置（以下「本装置」とも呼ぶ）に関するもので、その構成を図１に示す。すなわち、本装置は、本体部Ａと、表示部Ｂと、操作部Ｃと、で構成され、本体部Ａと表示部Ｂは一体である。また、操作部Ｃは、本体部Ａと一体の図示しないボタンスイッチ等と、外部操作部Ｇと、に分けることができる。
【００２７】
本体部Ａは、装置全体の制御を行う演算部であるメインＣＰＵ１と、装置の計算領域やプログラム格納などに用いる記憶部２と、地図やメニューなどの描画制御を行う表示制御部３と、各デバイスのＩ／Ｆ（インタフェース）などＣＰＵ周辺回路部４と、ハードディスク等の書込／読出可能な媒体を用いる記録メディア部５と、を有する。この記録メディア部５は、地図データを記憶する記憶手段を兼ねる。
【００２８】
また、本体部Ａは、自車位置及び方位の検出手段として、ジャイロセンサなどを用いる相対方位検出部６と、ＧＰＳなどを用いる絶対位置検出部７と、車両の情報（バック信号、パーキングブレーキ信号、イルミネーション信号、車速信号等）を得るための車両Ｉ／Ｆ（インターフェース）部８と、外部からの命令を受信する受信部２２と、を有する。
【００２９】
そして、本体部Ａと一体の表示部Ｂは、地図や誘導経路などの表示を行うために、映像信号を表示部に表示するための映像信号処理部９と、地図やメニュー等を本体で表示する画面表示部１０と、を有する。
【００３０】
一方、外部操作部Ｇは、装置の操作を行うためのもので、本体部Ａとは別体に構成され、本体部Ａと無線通信で接続される。この外部操作部Ｇは、命令を受け付ける入力受付部Ｐとして、マトリクススイッチを使用可能であり、特に、タッチパネルを用いれば、本体部Ａから送信される操作メニューなどの画面を液晶表示できるので、多様に活用できて操作も確実となる。また、外部操作部Ｇは、入力受付部Ｐから入力された命令や接触した座標などの情報を本体部Ａへ送信する送信部２１を有する。
【００３１】
〔２．外部操作部と作用効果の概要〕
より具体的には、外部操作部Ｇは、入力受付部Ｐに、操作領域とそれ以外の部分を区別する板材である操作テンプレートＴを備える。この操作テンプレートＴは、図２に例示するように、合成樹脂など平面状の素材（図２で灰色の部分）から、異なる操作内容などに応じた各操作領域の位置をそれぞれ矩形、三角、丸など所定の形状（図２で白い部分）にくりぬいたもので、板材だけでなくシート状など素材は自由である。この操作テンプレートＴによって区切られた入力受付部Ｐ上の各操作領域（ａ）〜（ｇ），（Ｈ），（Ｖ）は、本装置を操作するためのコマンドと関係付けられている。
【００３２】
すなわち、入力受付部Ｐは、命令毎に領域が区別されるとともに受け付ける命令を表示し、操作テンプレートＴは、命令を受け付けない領域を被覆するように形成されるので、本装置に対する操作は、本体とは分離した上記のような形態の外部操作部Ｇにおいて、取り付けた操作テンプレートＴを利用して各操作領域に手指で触れるなどの行為を組み合わせて行うことができる。
【００３３】
すなわち、ナビゲーション装置の操作部について、本体と分離することで本体の取付位置と関係なく所望の位置に固定や移動ができて操作し易くなり、タッチパネルなど指で平面を触る操作の採用により、ボタンパネルやリモコンより形状構造が単純化できる。特に、板材又は操作テンプレートで操作すべき部分を示すことにより、視覚に頼らず指先の感覚だけで操作可能となり操作性が向上する。
【００３４】
特に、上記のように、操作領域ごとの位置と形状でくりぬいた操作テンプレートにより、操作者は指先だけの感覚で入力受付部上の決められた領域に確実に触れることが可能となる。また、本実施形態では、本発明をナビゲーション装置に適用することにより、車内の明暗やバックライトの有無に関わらず、指先の感覚だけでナビゲーションに関する操作が可能になるので、快適なドライブ体験が得られ、運転の安全性も向上する。
【００３５】
〔３．処理手順の例〕
また、主制御装置１は、図示しない制御プログラムにしたがって記憶部２のメモリなどの記憶装置を用いながら、ナビゲーション手段１１と、処理実行手段１２と、を実現する。このうち、ナビゲーション手段１１は、自車位置及び方位の検出手段である相対方位検出部６並びに絶対位置検出部７、及び車両インターフェース部８からの情報と、記録メディア部５に記憶されている地図データに基いて、自車位置及び周辺地図の表示と、指定される目的地への経路の計算及び案内と、を行う。
【００３６】
また、処理実行手段１２は、外部操作部Ｇから送信される入力受付部Ｐへの接触の内容に応じて、本装置における各種操作などの処理を実行するが、その処理手順を図３、図４のフローチャートに示す。
【００３７】
すなわち、処理実行手段１２は（図３）、タッチパネルなど入力受付部への接触を認識し（ステップＳ１１）、それが図２に示す領域（ａ）〜（ｇ）のいずれかへの接触と判断した場合は（ステップＳ１２）、対応する各コマンドを実行する（ステップＳ１３）。図２の例では、領域（ａ）〜（ｇ）にはそれぞれ、ナビゲーション装置の各モードの切り替えや、選択コマンドの決定、戻る、また頻繁に使うコマンド（広域・詳細や音量ＵＰ・ＤＯＷＮなど）の実行などが割り当てられており、処理実行手段１２は、該当領域内への接触が認められれば、割り当てられた機能をナビゲーション手段１１に実行させる。
【００３８】
これに対し、図２における長尺の領域（Ｈ），（Ｖ）は、本体の表示画面上のカーソル（アクティブカーソル）を移動させるための領域であり、この際、処理実行手段１２は、これら長尺領域内における接触しながらの移動を受信すると、その移動の方向及び量に応じカーソルを移動させる。
【００３９】
すなわち、図２において、領域（Ｈ）は水平方向の移動、領域（Ｖ）は垂直方向の移動を担う。これら各領域（Ｈ）、（Ｖ）内において、操作者がある座標に指などで接触した状態から連続的に任意方向に動かすことで、その移動量に応じて、画面上のアクティブカーソルも移動させる。この際、領域（Ｈ）では水平方向の移動分だけを認識し、領域（Ｖ）では垂直方向の移動分だけを認識する。
【００４０】
このために、領域に接触があってからどちらの方向にどれだけ移動したかを判別する必要があるが、その動作を図４のフローチャートに示す。例えば、処理実行手段１２は、タッチパネルなど入力受付部への認識が（ステップＳ２１）、領域（Ｈ）の内側なら（ステップＳ２２）接触点のＸ座標をＸ０、Ｙ座標をＹ０とし、これらを始点とする。
【００４１】
その後、別の点への接触が（ステップＳ２４）同じ領域内なら（ステップＳ２５）接触点のＸ座標をＸ１、Ｙ座標をＹ１とし（ステップＳ２６）、移動量Ｘ１−Ｘ０を求め（ステップＳ２７）その移動量に応じて、アクティブカーソルを水平に移動させる（ステップＳ２８）。垂直の移動領域（Ｖ）の場合は垂直の移動量Ｙ１−Ｙ０に基いた移動処理となる。
【００４２】
このように、カーソル移動用に長細い専用の領域を用いれば、他の機能命令用の領域とは指先で容易に判別でき、操作性が改善できる。
【００４３】
〔４．操作テンプレートの構成例〕
また、操作テンプレートに関する構成は各種考えられる。その一例は、操作テンプレートを、入力受付部に対しはめ込み式などで着脱自在なように構成することである。このように、操作テンプレートを入力受付部から着脱自在とし、必要なときだけ取り付けることにより操作の場面や作業内容などの事情に応じ様々な利用態様が可能となる。
【００４４】
また、操作テンプレートは、各操作領域をくりぬく以外にも、平面状の素材において各操作領域を肉薄部とし他を肉厚部とすることもできる。このように、各操作領域を他より凹ませて肉薄とすることにより、くりぬいた場合と比べて強度が増し、手指の脂等の汚れが入力受付部へ付着することを抑えることができる。
【００４５】
この場合、各操作領域の肉薄部に、各操作領域に対応した表示を施すこともできる。このように、操作領域となっている肉薄部に対応した文字、図形、記号や色などの表示を行うことにより、バックライトが有っても無くても部分ごとの機能が一見して把握しやすくなる。
【００４６】
また、操作テンプレートは外部操作部に、リング、ワイヤ、チェーンなどで連結したり、外部操作部の背面や内部の収納ポケットなどに収納可能に構成することもできる。このように、操作テンプレートを外部操作部と一体化しておき、必要なときに入力受付部に装着できることにより、操作性に優れ、操作テンプレートの紛失も防止できる。
【００４７】
また、操作テンプレートの装着を自動検出して入力受付部Ｐの表示を切り換えてもよい。この場合、操作テンプレートＴに、入力受付部Ｐに装着しているか否か、又は複数のうちどの操作テンプレートを装着しているかを識別するための識別部Ｘを備える（図１）。また、これに対応して、外部操作部Ｇには、入力受付部Ｐに装着されている操作テンプレートＴの識別部Ｘを検出してその検出内容を本体部Ａへ送信する検出送信手段１３を備える。
【００４８】
そして、本体部Ａの処理実行手段１２は、外部操作部Ｇから受信する前記検出内容に応じて外部操作部Ｇの表示内容を切り換える。このように、どの操作テンプレートが装着されているかを検出しそれに応じて表示内容を切り換えることにより、用途や場面に応じていろいろな操作に活用可能となる。
【００４９】
また、識別部Ｘとして、操作テンプレートの一部分の立体形状（例えば、穴や突起など）を用いれば、磁石やＩＣタグなどを用いる場合と比べ経年変化や周囲の電磁波などがあっても動作が確実となる。
【００５０】
また、識別部Ｘとして、操作テンプレートに一又は二以上取り付けた磁石の有無、極性、磁束密度（磁界強度）、これらの組合せを用いれば、立体形状を用いる場合と比べ表面が平らにできるなど形状が統一でき取扱いが容易になる。
【００５１】
さらに、識別部Ｘとして、操作テンプレートに設けたＲＦＩＤ等のＩＣタグを用いれば、立体形状を用いる場合と比べ表面が平らにできて形状が統一でき取扱いが容易になるうえ、可動部も無くて済むため故障が減り、磁石を用いる場合と比べても経年劣化が無く動作の信頼性が維持でき、キャッシュカードなど磁気媒体にも影響が無い。
【００５２】
また、外部操作部Ｇにおいて、明るさ検出手段１４で周囲の明るさを検出し、この検出手段１４が検出した明るさに応じて、表示明度調整手段１５により、液晶用バックライトの明るさ変更などにより表示明度を調整する。このように、周囲の明るさに応じて、外部操作部の明るさを調整することにより、暗くても明度調節操作無しで視認容易となり、無駄な電力消費も抑えて充電池の持ちをよくする効果も得られる。
【図面の簡単な説明】
【００５３】
【図１】本発明の実施形態の構成を示す機能ブロック図。
【図２】本発明の実施形態における操作テンプレートの一例を示す図。
【図３】本発明の実施形態において、コマンドの実行に関する処理手順を示すフローチャート。
【図４】本発明の実施形態において、カーソル移動に関する処理手順を示すフローチャート。
【符号の説明】
【００５４】
１…主制御装置
２…記憶部
３…表示制御部
４…周辺回路部
５…記録メディア部
６…相対方位検出部
７…絶対位置検出部
８…車両インターフェース部
９…映像信号処理部
１０…画面表示部
１１…ナビゲーション手段
１２…処理実行手段
１３…検出送信手段
１４…検出手段
１５…表示明度調整手段
２１…送信部
２２…受信部
Ａ…本体部
Ｂ…表示部
Ｃ…操作部
Ｇ…外部操作部
Ｐ…入力受付部
Ｔ…操作テンプレート
Ｘ…識別部
Ｓ〜…手順の各ステップ
【図１】
2007257564.tif 000003
【図２】
2007257564.tif 000004
【図３】
2007257564.tif 000005
【図４】
2007257564.tif 000006